(57)【要約】【課題】必要に応じて、画像および音声の選択を簡易な操作で行うことができる画像表示装置を提供する。【解決手段】画像表示装置（プロジェクタ１）は、複数の入力系統のうち、１つを第１入力系統として選択させる第１の入力選択部（入力操作部２１）と、複数の入力系統への画像信号および音声信号の入力を検出する信号検出部（信号入力検出部５１）と、第１入力系統に、画像信号または音声信号のいずれか一方が入力されていない場合に、前記一方の信号が入力されている他の入力系統を選出する端子選出部（入力端子制御部５０）と、他の入力系統のうち、１つを第２入力系統として選択させる第２の入力選択部（入力操作部２１）と、第１入力系統の前記一方の信号の入力端子を、第２入力系統の前記一方の信号の入力端子に切り替える入力端子切替部（画像端子切替部３１、音声端子切替部４１）と、を備える。【選択図】図１
2009258202.tif 000002
【特許請求の範囲】
【請求項１】
画像信号に基づいて画像を表示し、音声信号に基づいて音声を出力する画像表示装置であって、
前記画像信号を入力する画像入力端子と前記音声信号を入力する音声入力端子とを対として備える入力系統を複数有し、
複数の前記入力系統のうち、１つを第１入力系統として選択させる第１の入力選択部と、
複数の前記入力系統への前記画像信号および前記音声信号の入力を検出する信号検出部と、
前記第１の入力選択部によって選択された前記第１入力系統に、前記画像信号または前記音声信号のいずれか一方が入力されていない場合に、前記一方の信号が入力されている他の入力系統を選出する端子選出部と、
前記端子選出部が選出した前記他の入力系統のうち、１つを第２入力系統として選択させる第２の入力選択部と、
前記第１入力系統の前記一方の信号の入力端子を、前記第２の入力選択部によって選択された前記第２入力系統の前記一方の信号の入力端子に切り替える入力端子切替部と、
を備えることを特徴とする画像表示装置。
【請求項２】
請求項１に記載の画像表示装置であって、
前記端子選出部は、前記第１の入力選択部が選択した前記第１入力系統に、画像信号が入力されており、音声信号が入力されていない場合に、前記音声信号が入力されている他の入力系統を選出し、
前記入力端子切替部は、前記第１入力系統の音声信号の入力端子を、前記第２の入力選択部によって選択された前記第２入力系統の音声信号の入力端子に切り替えることを特徴とする画像表示装置。
【請求項３】
請求項１に記載の画像表示装置であって、
前記端子選出部は、前記第１の入力選択部が選択した前記第１入力系統に、音声信号が入力されており、画像信号が入力されていない場合に、前記画像信号が入力されている他の入力系統を選出し、
前記入力端子切替部は、前記第１入力系統の画像信号の入力端子を、前記第２の入力選択部によって選択された前記第２入力系統の画像信号の入力端子に切り替えることを特徴とする画像表示装置。
【請求項４】
請求項１乃至３のいずれか一項に記載の画像表示装置であって、
前記端子選出部が選出した前記他の入力系統を一覧表示する候補表示部をさらに備えることを特徴とする画像表示装置。
【請求項５】
光源から射出された光束を画像情報に応じて変調して光学像を形成し、投写光学系を介して拡大投写するプロジェクタであって、
画像信号を入力する画像入力端子と音声信号を入力する音声入力端子とを対として備える入力系統を複数有し、
複数の前記入力系統のうち、１つを第１入力系統として選択させる第１の入力選択部と、
複数の前記入力系統への前記画像信号および前記音声信号の入力を検出する信号検出部と、
前記第１の入力選択部によって選択された前記第１入力系統に、前記画像信号または前記音声信号のいずれか一方が入力されていない場合に、前記一方の信号が入力されている他の入力系統を選出する端子選出部と、
前記端子選出部が選出した前記他の入力系統のうち、１つを第２入力系統として選択させる第２の入力選択部と、
前記第１入力系統の前記一方の信号の入力端子を、前記第２の入力選択部によって選択された前記第２入力系統の前記一方の信号の入力端子に切り替える入力端子切替部と、
を備えることを特徴とするプロジェクタ。
【請求項６】
画像信号を入力する画像入力端子と音声信号を入力する音声入力端子とを対として備える入力系統を複数有し、前記画像信号に基づいて画像を表示し、前記音声信号に基づいて音声を出力する画像表示装置の制御方法であって、
複数の前記入力系統のうち、１つを第１入力系統として選択させる第１の入力選択工程と、
複数の前記入力系統への前記画像信号および前記音声信号の入力を検出する信号検出工程と、
前記第１の入力選択工程によって選択された前記第１入力系統に、前記画像信号または前記音声信号のいずれか一方が入力されていない場合に、前記一方の信号が入力されている他の入力系統を選出する端子選出工程と、
前記端子選出工程が選出した前記他の入力系統のうち、１つを第２入力系統として選択させる第２の入力選択工程と、
前記第１入力系統の前記一方の信号の入力端子を、前記第２の入力選択工程によって選択された前記第２入力系統の前記一方の信号の入力端子に切り替える入力端子切替工程と、
を備えることを特徴とする画像表示装置の制御方法。
【発明の詳細な説明】
【技術分野】
【０００１】
本発明は、画像表示装置、プロジェクタ、および画像表示装置の制御方法に関する。
【背景技術】
【０００２】
プロジェクタ等の画像表示装置は、パーソナルコンピュータやビデオプレーヤ等、様々な画像供給装置や音声供給装置からの画像信号および音声信号を入力する複数の入力端子を備えている。そして、ユーザが選択した入力端子に入力された画像信号を画像として表示し、音声信号を音声として出力する。
【０００３】
従来、プロジェクタ等の画像表示装置においては、ユーザは所定の入力系統の画像入力端子を選択した場合には、同じ入力系統の適切な音声入力端子に信号を入力しないと、音声を出力することができなかった。また、音声入力端子および画像入力端子はそれぞれ端子形状が決まっており、端子形状が異なっていると信号入力ができないという問題があった。一方、特許文献１では、供給されている複数の映像（画像）信号および音声信号についての内容データを表示し、出力する映像および音声をそれぞれユーザが選択することができる映像音声再生装置が開示されている。このような映像音声再生装置では、入力系統や入力端子に制限なく音声を出力することができる。
【０００４】
【特許文献１】特開２００７−２８０４４７号公報
【発明の開示】
【発明が解決しようとする課題】
【０００５】
しかしながら、特許文献１の映像音声再生装置では、ユーザは、表示内容に基づいて映像（画像）および音声をそれぞれ選択する必要があるため、選択操作が複雑になってしまう場合があった。例えば、選択した画像入力端子と同じ入力系統の音声入力端子に音声信号が入力されている場合は、却って、余計な選択操作が必要となっていた。したがって、必要に応じて、画像および音声の選択を簡易な操作で行うことができる画像表示装置が求められていた。
【課題を解決するための手段】
【０００６】
本発明は、上述の課題の少なくとも一部を解決するためになされたものであり、以下の形態または適用例として実現することが可能である。
【０００７】
［適用例１］本適用例に係る画像表示装置は、画像信号に基づいて画像を表示し、音声信号に基づいて音声を出力する画像表示装置であって、前記画像信号を入力する画像入力端子と前記音声信号を入力する音声入力端子とを対として備える入力系統を複数有し、複数の前記入力系統のうち、１つを第１入力系統として選択させる第１の入力選択部と、複数の前記入力系統への前記画像信号および前記音声信号の入力を検出する信号検出部と、前記第１の入力選択部によって選択された前記第１入力系統に、前記画像信号または前記音声信号のいずれか一方が入力されていない場合に、前記一方の信号が入力されている他の入力系統を選出する端子選出部と、前記端子選出部が選出した前記他の入力系統のうち、１つを第２入力系統として選択させる第２の入力選択部と、前記第１入力系統の前記一方の信号の入力端子を、前記第２の入力選択部によって選択された前記第２入力系統の前記一方の信号の入力端子に切り替える入力端子切替部と、を備えることを特徴とする。
【０００８】
このような画像表示装置によれば、第１の入力選択部によって選択された第１入力系統に画像信号または音声信号のいずれか一方が入力されていない場合に、端子選出部は、前記一方の信号が入力されている他の入力系統を選出する。第２の入力選択部は、他の入力系統のうち、１つを第２入力系統として選択し、入力端子切替部は、第１入力系統の前記一方の信号の入力端子を、第２入力系統の前記一方の信号の入力端子に切り替える。これにより、ユーザが選択した第１入力系統に画像信号または音声信号のいずれか一方が入力されていない場合に、第２入力系統を選択し、第２入力系統の画像信号または音声信号の入力端子に切り替えて出力することができる。よって、ユーザは、必要に応じて、画像および音声を簡易な操作で選択することが可能となる。ここで、「入力系統」とは、画像入力端子と音声入力端子とを対として備える入力端子の組のことを示す。
【０００９】
［適用例２］上記適用例に係る画像表示装置において、前記端子選出部は、前記第１の入力選択部が選択した前記第１入力系統に、画像信号が入力されており、音声信号が入力されていない場合に、前記音声信号が入力されている他の入力系統を選出し、前記入力端子切替部は、前記第１入力系統の音声信号の入力端子を、前記第２の入力選択部によって選択された前記第２入力系統の音声信号の入力端子に切り替えることを特徴とする。
【００１０】
このような画像表示装置によれば、端子選出部は、第１入力系統に音声信号が入力されていない場合に、音声信号が入力されている他の入力系統を選出する。入力端子切替部は、第２の入力選択部によって選択された第２入力系統に入力されている音声信号に切り替える。これにより、ユーザは、最初に選択した入力系統に音声信号が入力されていない場合に、簡易な操作で他の入力系統の音声信号に切り替えることが可能となり、所望の音声を出力することができる。
【００１１】
［適用例３］上記適用例に係る画像表示装置において、前記端子選出部は、前記第１の入力選択部が選択した前記第１入力系統に、音声信号が入力されており、画像信号が入力されていない場合に、前記画像信号が入力されている他の入力系統を選出し、前記入力端子切替部は、前記第１入力系統の画像信号の入力端子を、前記第２の入力選択部によって選択された前記第２入力系統の画像信号の入力端子に切り替えることを特徴とする。
【００１２】
このような画像表示装置によれば、端子選出部は、第１入力系統に画像信号が入力されていない場合に、画像信号が入力されている他の入力系統を選出する。入力端子切替部は、第２の入力選択部によって選択された第２入力系統に入力されている画像信号に切り替える。これにより、ユーザは、最初に選択した入力系統に画像信号が入力されていない場合に、簡易な操作で他の入力系統の画像信号に切り替えることが可能となり、所望の画像を出力することができる。
【００１３】
［適用例４］上記適用例に係る画像表示装置において、前記端子選出部が選出した前記他の入力系統を一覧表示する候補表示部をさらに備えることを特徴とする。
【００１４】
このような画像表示装置によれば、候補表示部は、端子選出部が選出した他の入力系統を一覧表示する。これにより、第２の入力選択部によって第２入力系統を選択する際に、ユーザは一覧表示された信号から選択できるため、利便性が向上する。
【００１５】
［適用例５］本適用例に係るプロジェクタは、光源から射出された光束を画像情報に応じて変調して光学像を形成し、投写光学系を介して拡大投写するプロジェクタであって、画像信号を入力する画像入力端子と音声信号を入力する音声入力端子とを対として備える入力系統を複数有し、複数の前記入力系統のうち、１つを第１入力系統として選択させる第１の入力選択部と、複数の前記入力系統への前記画像信号および前記音声信号の入力を検出する信号検出部と、前記第１の入力選択部によって選択された前記第１入力系統に、前記画像信号または前記音声信号のいずれか一方が入力されていない場合に、前記一方の信号が入力されている他の入力系統を選出する端子選出部と、前記端子選出部が選出した前記他の入力系統のうち、１つを第２入力系統として選択させる第２の入力選択部と、前記第１入力系統の前記一方の信号の入力端子を、前記第２の入力選択部によって選択された前記第２入力系統の前記一方の信号の入力端子に切り替える入力端子切替部と、を備えることを特徴とする。
【００１６】
このようなプロジェクタによれば、第１の入力選択部によって選択された第１入力系統に画像信号または音声信号のいずれか一方が入力されていない場合に、端子選出部は、前記一方の信号が入力されている他の入力系統を選出する。第２の入力選択部は、他の入力系統のうち、１つを第２入力系統として選択し、入力端子切替部は、第１入力系統の前記一方の信号の入力端子を、第２入力系統の前記一方の信号の入力端子に切り替える。これにより、ユーザが選択した第１入力系統に画像信号または音声信号のいずれか一方が入力されていない場合に、第２入力系統を選択し、第２入力系統の画像信号または音声信号の入力端子に切り替えて出力することができる。よって、ユーザは、必要に応じて、画像および音声を簡易な操作で選択することが可能となる。
【００１７】
［適用例６］本適用例に係る画像表示装置の制御方法は、画像信号を入力する画像入力端子と音声信号を入力する音声入力端子とを対として備える入力系統を複数有し、前記画像信号に基づいて画像を表示し、前記音声信号に基づいて音声を出力する画像表示装置の制御方法であって、複数の前記入力系統のうち、１つを第１入力系統として選択させる第１の入力選択工程と、複数の前記入力系統への前記画像信号および前記音声信号の入力を検出する信号検出工程と、前記第１の入力選択工程によって選択された前記第１入力系統に、前記画像信号または前記音声信号のいずれか一方が入力されていない場合に、前記一方の信号が入力されている他の入力系統を選出する端子選出工程と、前記端子選出工程が選出した前記他の入力系統のうち、１つを第２入力系統として選択させる第２の入力選択工程と、前記第１入力系統の前記一方の信号の入力端子を、前記第２の入力選択工程によって選択された前記第２入力系統の前記一方の信号の入力端子に切り替える入力端子切替工程と、を備えることを特徴とする。
【００１８】
このような画像表示装置の制御方法によれば、ユーザが選択した第１入力系統に画像信号または音声信号のいずれか一方が入力されていない場合に、第２入力系統を選択し、第２入力系統の画像信号または音声信号の入力端子に切り替えて出力することができる。よって、ユーザは、必要に応じて、画像および音声を簡易な操作で選択することが可能となる。
【００１９】
また、上述した画像表示装置およびその制御方法が画像表示装置に備えられたコンピュータを用いて構築されている場合には、上記形態および上記適用例は、その機能を実現するためのプログラム、あるいは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、画像表示装置の内部記憶装置（ＲＡＭやＲＯＭ等のメモリ）、及び外部記憶装置等、前記コンピュータが読み取り可能な種々の媒体を利用することができる。
【発明を実施するための最良の形態】
【００２０】
以下、画像表示装置の実施形態として、光源から射出された光束を画像情報に応じて変調して光学像を形成し、投写光学系を介して拡大投写するプロジェクタについて説明する。
【００２１】
（第１の実施形態）
図１は、第１の実施形態に係るプロジェクタの概略構成を示すブロック図である。図１を使用して、プロジェクタ１の内部構成について説明する。
【００２２】
プロジェクタ１は、画像投写部１０、制御部２０、入力操作部２１、画像入力端子群３０、画像端子切替部３１、音声入力端子群４０、音声端子切替部４１、入力端子制御部５０、信号入力検出部５１、画像処理部３２、ＯＳＤ処理部３３、音声処理部４２、音声出力部４３、スピーカ４４等を備えている。また、図１には、プロジェクタ１の外部に、スクリーンＳＣを図示している。
【００２３】
画像投写部１０は、超高圧水銀ランプやメタルハライドランプ等の放電型光源やＬＥＤ（Light Emitting Diode）等の固体光源からなる光源１１と、光変調装置としての液晶ライトバルブ１２と、投写光学系としての投写レンズ１３と、液晶ライトバルブ１２を駆動するライトバルブ駆動部１４とを備えている。
【００２４】
液晶ライトバルブ１２は、一対の透明基板間に液晶が封入された透過型液晶パネル等によって構成される。ライトバルブ駆動部１４の駆動によって、液晶ライトバルブ１２の各画素に画像信号に応じた駆動電圧が印加されると、各画素は、画像信号に応じた光透過率で光源光を透過させる。
【００２５】
光源１１から射出された光は、この液晶ライトバルブ１２を透過することによって変調され、変調後の光が投写レンズ１３によって投写されることにより、スクリーンＳＣ等に画像信号に応じた画像が表示される。
【００２６】
制御部２０は、ＣＰＵ（Central Processing Unit）、各種データの一時記憶等に用いられるＲＡＭ（Random Access Memory）、および、マスクＲＯＭ（Read Only Memory）やフラッシュメモリ、ＦｅＲＡＭ（Ferroelectric RAM：強誘電体メモリ）等の不揮発性のメモリ等（いずれも図示せず）を備え、コンピュータとして機能するものである。制御部２０は、ＣＰＵが不揮発性のメモリに記憶されている制御プログラムに従って動作することにより、プロジェクタ１の動作を統括制御する。
【００２７】
入力操作部２１は、プロジェクタ１に対して各種指示を行うための複数のキー等を備えている。入力操作部２１が備えるキーとしては、電源のオン／オフを行うための「電源キー」や、入力系統を切り替えるための「入力系統切替キー」、各種設定を行うためのメニュー画面の表示／非表示を切り替える「メニューキー」、メニュー画面におけるカーソルの移動等に用いられる「カーソルキー」、音声入力候補を表示させるための「音声候補キー」、各種設定を決定するための「決定キー」等がある。ユーザが入力操作部２１を操作すると、入力操作部２１は、ユーザの操作内容に応じた操作信号を制御部２０に出力する。なお、入力操作部２１は、リモコン信号受信部（図示せず）と遠隔操作が可能なリモートコントローラ（図示せず）を有した構成としてもよい。この場合、リモートコントローラは、ユーザの操作内容に応じた赤外線等の操作信号を発し、リモコン信号受信部がこれを受信して制御部２０に伝達する。
【００２８】
画像入力端子群３０は、パーソナルコンピュータやビデオプレーヤ等、外部の画像供給装置から、各種形式の画像信号を入力可能な複数の画像入力端子３０ａ，３０ｂ，３０ｃ，３０ｄを備えている。各画像入力端子に入力された画像信号は、画像端子切替部３１に供給される。
【００２９】
画像端子切替部３１は、複数の画像入力端子３０ａ，３０ｂ，３０ｃ，３０ｄのうち、入力端子制御部５０の指示に基づく１つの画像入力端子を選択し、この画像入力端子に入力される画像信号を信号入力検出部５１および画像処理部３２に出力する。
【００３０】
音声入力端子群４０は、パーソナルコンピュータやビデオプレーヤ等、外部の音声供給装置から、音声信号を入力可能な複数の音声入力端子４０ａ，４０ｂ，４０ｃ，４０ｄを備えている。各音声入力端子に入力された音声信号は、音声端子切替部４１に供給される。
【００３１】
音声端子切替部４１は、複数の音声入力端子４０ａ，４０ｂ，４０ｃ，４０ｄのうち、入力端子制御部５０の指示に基づく１つの音声入力端子を選択し、この音声入力端子に入力される音声信号を信号入力検出部５１および音声処理部４２に出力する。なお、本実施形態では、画像端子切替部３１および音声端子切替部４１が、特許請求の範囲の入力端子切替部に相当する。
【００３２】
入力端子制御部５０は、画像入力端子および音声入力端子を切り替えるように、画像端子切替部３１および音声端子切替部４１に対して指示をする。
ユーザによって、入力操作部２１に備わる入力系統切替キーが操作され、所望の入力系統が指定されると、制御部２０は指定された入力系統を表す情報を入力端子制御部５０に出力する。入力端子制御部５０は、制御部２０からの情報に基づいて、指定された入力系統を第１入力系統として画像入力端子および音声入力端子を切り替えるように、画像端子切替部３１および音声端子切替部４１に対して指示をする。なお、このときの入力操作部２１が、特許請求の範囲の第１の入力選択部に相当する。
【００３３】
また、入力端子制御部５０は、入力系統を順次切り替えるように、音声端子切替部４１に対して順次指示を行う。そして、入力端子制御部５０は、切り替えた音声入力端子に音声信号が入力されているか否かの情報を信号入力検出部５１から入力する。
【００３４】
さらに、入力端子制御部５０は、音声信号が入力されている音声入力端子の入力系統を他の入力系統として選出し、音声入力候補としてメモリ（図示せず）に記憶する。このときの入力端子制御部５０が、特許請求の範囲の端子選出部に相当する。そして、入力端子制御部５０は、音声入力候補（他の入力系統）の一覧を、制御部２０を介してＯＳＤ処理部３３に一覧表示させる。
【００３５】
ユーザによって、入力操作部２１が操作され、音声入力候補の１つが第２入力系統として選択されると、入力端子制御部５０は、制御部２０からの情報に基づいて、第２入力系統の音声入力端子に切り替えるように、音声端子切替部４１に指示をする。なお、このときの入力操作部２１が、特許請求の範囲の第２の入力選択部に相当する。
【００３６】
信号入力検出部５１は、画像端子切替部３１および音声端子切替部４１から信号を入力し、画像信号の入力の有無、および、音声信号の入力の有無を検出する。そして、検出結果を入力端子制御部５０に出力する。本実施形態では、信号入力検出部５１が、特許請求の範囲の信号検出部に相当する。
【００３７】
画像処理部３２は、画像端子切替部３１から入力される各種形式の画像信号を、液晶ライトバルブ１２の各画素の階調を表す画像データ、即ち各画素に印加する駆動電圧を規定するための画像データに変換する。さらに、制御部２０の指示に基づいて、変換した画像データに対して、明るさ、コントラスト、シャープネス、色合い等を調整するための処理等を行う。画像処理部３２で画質調整等がなされた画像データは、ＯＳＤ処理部３３に出力される。
【００３８】
ＯＳＤ処理部３３は、制御部２０の指示に基づいて、メニュー画面やメッセージ画面等のＯＳＤ（オンスクリーンディスプレイ）画像を、画像処理部３２から入力される画像データに重畳する処理を行う。ＯＳＤ処理部３３は、図示しないＯＳＤメモリを備えており、ＯＳＤ画像を形成するための図形やフォント等を表すＯＳＤ画像データを記憶している。制御部２０が、ＯＳＤ画像の重畳を指示すると、ＯＳＤ処理部３３は、必要なＯＳＤ画像データをＯＳＤメモリから読み出し、入力画像の所定の位置にＯＳＤ画像が重畳されるように、画像処理部３２から入力される画像データにこのＯＳＤ画像データを合成する。ＯＳＤ画像データが合成された画像データは、ライトバルブ駆動部１４に出力される。なお、制御部２０からＯＳＤ画像を重畳する旨の指示がない場合には、ＯＳＤ処理部３３は、画像処理部３２から出力される画像データを、そのままライトバルブ駆動部１４に出力する。また、ＯＳＤ処理部３３は、特許請求の範囲の候補表示部に相当する。
【００３９】
音声処理部４２は、制御部２０の指示に基づいて、音声端子切替部４１から入力される音声信号に、その出力特性を調整するための処理を施す。音声処理部４２で調整処理がされた音声信号は、音声出力部４３に出力される。
【００４０】
音声出力部４３は、図示しない増幅回路等を備えており、音声処理部４２から入力した音声信号に基づく音声をスピーカ４４から出力する。
【００４１】
次に、本実施形態におけるプロジェクタ１と外部の画像供給装置および音声供給装置との接続状態について説明する。図２は、第１の実施形態に掛かるプロジェクタ１と外部の画像供給装置、音声供給装置についての接続状態を説明する図である。
【００４２】
図２に示すように、プロジェクタ１の外部には、コンピュータＰＣ、ビデオプレーヤＶＰ、ＣＤ（Compact Disc）プレーヤＣＰが設置されている。コンピュータＰＣには、画像出力端子Ｐ１および音声出力端子Ｐ２が備えられている。また、ビデオプレーヤＶＰには、画像出力端子Ｖ１および音声出力端子Ｖ２が備えられている。また、ＣＤプレーヤＣＰには、音声出力端子Ｃ１が備えられている。
【００４３】
プロジェクタ１には、コンピュータ入力系統として画像入力端子３０ａおよび音声入力端子４０ａが備えられ、ビデオ１入力系統として画像入力端子３０ｂおよび音声入力端子４０ｂが備えられ、ビデオ２入力系統として画像入力端子３０ｃおよび音声入力端子４０ｃが備えられ、ビデオ３入力系統として画像入力端子３０ｄおよび音声入力端子４０ｄが備えられている。
【００４４】
コンピュータＰＣの画像出力端子Ｐ１は、プロジェクタ１の画像入力端子３０ａに、ケーブルを介して接続されている。コンピュータＰＣの音声出力端子Ｐ２は、プロジェクタ１の音声入力端子４０ｂに、ケーブルを介して接続されている。ビデオプレーヤＶＰの画像出力端子Ｖ１は、プロジェクタ１の画像入力端子３０ｃに、ケーブルを介して接続されている。ビデオプレーヤＶＰの音声出力端子Ｖ２は、プロジェクタ１の音声入力端子４０ｃに、ケーブルを介して接続されている。ＣＤプレーヤＣＰの音声出力端子Ｃ１は、プロジェクタ１の音声入力端子４０ｄに、ケーブルを介して接続されている。
【００４５】
上述したように接続されていることにより、コンピュータＰＣが出力する画像信号は、プロジェクタ１のコンピュータ入力系統の画像入力端子３０ａに入力される。また、コンピュータＰＣが出力する音声信号は、プロジェクタ１のビデオ１入力系統の音声入力端子４０ｂに入力される。また、ビデオプレーヤＶＰが出力する画像信号は、プロジェクタ１のビデオ２入力系統の画像入力端子３０ｃに入力される。ビデオプレーヤＶＰが出力する音声信号は、プロジェクタ１のビデオ２入力系統の音声入力端子４０ｃに入力される。また、ＣＤプレーヤＣＰが出力する音声信号は、プロジェクタ１のビデオ３入力系統の音声入力端子４０ｄに入力される。
【００４６】
次に、上述した接続状態において、音声入力端子の切り替えを行う場合のプロジェクタ１の投写画面の表示について説明する。図３は、音声入力端子を切り替える際のプロジェクタ１の画面表示の遷移を表す図である。
【００４７】
図３に示すように、ユーザが入力操作部２１に備わる入力系統切替キーを操作して入力系統を選択すると、選択されている入力系統を表す文字列が画面の左側上方に表示される。本実施形態では、画面Ｇ１に示すように「コンピュータ」が入力系統として選択されている。このとき、図２で説明したように、音声入力端子４０ａには音声信号が入力されていないため、プロジェクタ１から音声は出力されない。
【００４８】
この状態で、ユーザが入力操作部２１に備わる音声候補キーを押下すると、音声入力候補の一覧が画面の右側下方に表示される。本実施形態では、画面Ｇ２で示すように「音声候補」の表示と、その下に音声信号入力のある入力系統として、「ビデオ１」、「ビデオ２」、「ビデオ３」が表示される。また、音声入力候補を選択可能なように、「ビデオ１」を指し示す選択カーソルが表示されている。
【００４９】
ここで、音声候補キーが押下されたときにプロジェクタ１が行う処理（音声入力候補選出処理）について、フローチャートを用いて説明する。図４は、プロジェクタ１の音声入力候補選出処理のフローチャートである。
【００５０】
音声候補キーが押下されると、制御部２０は、音声入力候補の選出を行うように入力端子制御部５０に指示をする。制御部２０からの指示により、入力端子制御部５０は、信号入力検出部５１から画像入力端子の信号入力の有無、および音声入力端子の信号入力の有無の検出結果を入力して、選択している入力系統の信号入力状態とする（ステップＳ１０１）。そして、入力端子制御部５０は、信号入力状態が、「画像信号の入力有り」かつ「音声信号の入力無し」の条件を満たしているか否かを判断する（ステップＳ１０２）。
【００５１】
信号入力状態が、「画像信号の入力有り」かつ「音声信号の入力無し」の場合（ステップＳ１０２：ＹＥＳ）、入力端子制御部５０は、音声端子切替部４１に、次の入力系統の音声入力端子に切り替えるように指示をする。音声端子切替部４１は、指示された音声入力端子に切り替える（ステップＳ１０３）。ここで、次の入力系統とは、入力系統切替キーを１回押下した場合に切り替わる入力系統とする。
【００５２】
入力端子制御部５０は、信号入力検出部５１から音声入力端子の音声信号の有無の検出結果を入力して、切り替えた音声入力端子の信号入力状態とする（ステップＳ１０４）。そして、入力端子制御部５０は、信号入力状態が、「音声信号の入力有り」か否かを判断する（ステップＳ１０５）。信号入力状態が、「音声信号の入力有り」の場合（ステップＳ１０５：ＹＥＳ）、入力端子制御部５０は、切り替えた入力系統を音声入力候補としてメモリに記憶する（ステップＳ１０６）。
【００５３】
そして、入力端子制御部５０は、全ての入力系統の音声入力端子を調査したか否かを判断する（ステップＳ１０７）。全ての入力系統の音声入力端子を調査していなければ（ステップＳ１０７：ＮＯ）、ステップＳ１０３に戻り、次の入力系統の音声入力端子に切り替えて音声信号入力状態の検出を繰り返す。
【００５４】
信号入力状態が、「音声信号の入力有り」でない場合（ステップＳ１０５：ＮＯ）、ステップＳ１０７に移行し、全ての入力系統の音声入力端子を調査したか否かを判断する。
【００５５】
全ての入力系統の音声入力端子を調査していれば（ステップＳ１０７：ＹＥＳ）、入力端子制御部５０は、音声入力候補があったか否かを判断する（ステップＳ１０８）。音声入力候補があった場合（ステップＳ１０８：ＹＥＳ）、入力端子制御部５０は、制御部２０に依頼して、ＯＳＤ処理部３３に音声入力候補の一覧を表示させる（ステップＳ１０９）。そして、音声入力候補選出処理を終了する。
【００５６】
音声入力候補がなかった場合（ステップＳ１０８：ＮＯ）、音声入力候補選出処理を終了する。
また、選択している入力系統の信号入力状態の検出結果が、「画像信号の入力有り」かつ「音声信号の入力無し」の条件を満たしていない場合（ステップＳ１０２：ＮＯ）、音声入力候補選出処理を終了する。
【００５７】
図３に戻り、音声入力候補が画面に表示されている状態で、ユーザが入力操作部２１に備わるカーソルキー（下矢印キー）を押下すると、選択カーソルは下方に移動し、画面Ｇ３に示すように「ビデオ２」を指し示す。そして、ユーザが入力操作部２１に備わる決定キーを押下すると、音声信号を入力させる入力系統が決定され、画面Ｇ４に示すように音声入力候補の一覧表示は消去される。そして、プロジェクタ１は、ビデオ２入力系統の音声信号に基づく音声を出力する。
【００５８】
ここで、音声入力候補が画面に表示されている状態で、決定キーが押下されたときにプロジェクタ１が行う処理（音声入力端子切替処理）について、フローチャートを用いて説明する。図５は、プロジェクタ１の音声入力端子切替処理のフローチャートである。
【００５９】
決定キーが押下されると、制御部２０は、選択カーソルが指し示している音声入力候補の音声入力端子に切り替えを行うように入力端子制御部５０に指示をする。入力端子制御部５０は、制御部２０からの指示に基づき、音声端子切替部４１に選択カーソルが指し示している音声入力候補の音声入力端子に切り替えるように指示をする。音声端子切替部４１は、指示された音声入力端子に切り替える（ステップＳ２０１）。
【００６０】
そして、入力端子制御部５０は、制御部２０に依頼して、ＯＳＤ処理部３３に音声入力候補の一覧を消去させる（ステップＳ２０２）。そして、音声入力端子切替処理を終了する。
【００６１】
上述したような画面表示および処理が行われることで、ユーザは、画像入力端子を切り替えることなく、音声入力候補から、音声信号が入力されている入力系統を選択し、音声入力端子を切り替えることができる。そして、プロジェクタ１は、切り替えられた音声入力端子からの音声信号に基づいて音声を出力することができる。
【００６２】
上述した実施形態によれば、以下の効果が得られる。
（１）プロジェクタ１は、ユーザが選択した入力系統（第１入力系統）に音声信号が入力されていない場合に、音声候補キーの操作によって、音声信号が入力されている入力系統（他の入力系統）を選出して、音声入力候補として一覧表示し、ユーザに選択させる。そして、ユーザが選択した音声入力端子に切り替えて音声を出力する。これにより、ユーザは、必要に応じて、音声入力候補を表示させ、簡易な操作で音声を選択することが可能となる。
【００６３】
（２）プロジェクタ１は、音声信号が入力されている入力系統を音声入力候補として一覧表示するため、ユーザは、入力系統の選択を容易に行うことができる。
【００６４】
（３）プロジェクタ１は、画像信号を入力する画像入力端子の入力系統（第１入力系統）とは別の入力系統を、音声信号を入力する音声入力端子の入力系統（第２入力系統）として選択することが可能となるため、利便性が向上する。
【００６５】
（４）プロジェクタ１に音声信号が複数入力されている場合に、ユーザは、複数の音声信号から所望の音声信号を選択することが可能となる。これにより、例えば、ユーザは、プロジェクタ１に複数の音声信号を入力しておき、表示されている画像に応じて、最適な音声信号に切り替えながら使用（鑑賞）することが可能となり、有益である。
【００６６】
（５）プロジェクタ１は、ユーザが選択した入力系統の音声入力端子の端子形状が、使用するケーブルの端子形状と異なっていた場合に、使用するケーブルと端子形状が一致する他の音声入力端子に接続して音声を出力することが可能となる。よって、ユーザは特定のケーブルを用意しなくてもよいため、利便性が向上する。
【００６７】
（第２の実施形態）
以下、第２の実施形態について説明する。
【００６８】
第１の実施形態では、プロジェクタ１の端子選出部は、第１入力系統に、画像信号が入力されており、音声信号が入力されていない場合に、音声入力候補を選出するものとしたが、第２の実施形態では、第１入力系統に、音声信号が入力されており、画像信号が入力されていない場合に、画像入力候補を選出するものとする。そして、画像端子切替部３１は、第１入力系統の画像入力端子を、入力操作部２１によって選択された第２入力系統の画像入力端子に切り替える。
【００６９】
本実施形態では、プロジェクタ１の入力操作部２１は、画像入力候補を表示させるための「画像候補キー」を備える。その他の構成等は、第１の実施形態と同様である。
【００７０】
図６は、画像入力端子を切り替える際のプロジェクタ１の画面表示の遷移を表す図である。図６に示すように、ユーザが入力操作部２１に備わる入力系統切替キーを操作して入力系統を選択すると、選択されている入力系統を表す文字列が画面の左側上方に表示される。本実施形態では、画面Ｇ５に示すように「ビデオ１」が入力系統として選択されている。このとき、画像入力端子３０ｂには画像信号が入力されていない（図２参照）ため、プロジェクタ１から画像信号に基づく画像は表示されない。また、プロジェクタ１の音声入力端子４０ｂには音声信号が入力されているため、音声は出力されている。
【００７１】
ユーザが入力操作部２１に備わる画像候補キーを押下すると、画像入力候補の一覧が画面の右側下方に表示される。本実施形態では、画面Ｇ６で示すように「画像候補」の表示と、その下に画像信号入力のある入力系統として、「ビデオ２」、「コンピュータ」が表示される。また、音声入力候補を選択可能なように、「ビデオ２」を指し示す選択カーソルが表示されている。
【００７２】
ここで、画像候補キーが押下されたときにプロジェクタ１が行う処理（画像入力候補選出処理）について、フローチャートを用いて説明する。図７は、プロジェクタ１の画像入力候補選出処理のフローチャートである。
【００７３】
画像候補キーが押下されると、制御部２０は、画像入力候補の選出を行うように入力端子制御部５０に指示をする。制御部２０からの指示により、入力端子制御部５０は、信号入力検出部５１から画像入力端子の信号入力の有無、および音声入力端子の信号入力の有無の検出結果を入力して、選択している入力系統の信号入力状態とする（ステップＳ３０１）。そして、入力端子制御部５０は、信号入力状態が、「音声信号の入力有り」かつ「画像信号の入力無し」の条件を満たしているか否かを判断する（ステップＳ３０２）。
【００７４】
信号入力状態が、「音声信号の入力有り」かつ「画像信号の入力無し」の場合（ステップＳ３０２：ＹＥＳ）、入力端子制御部５０は、画像端子切替部３１に次の入力系統の画像入力端子に切り替えるように指示をする。画像端子切替部３１は、指示された画像入力端子に切り替える（ステップＳ３０３）。
【００７５】
入力端子制御部５０は、信号入力検出部５１から画像入力端子の画像信号の有無の検出結果を入力して、切り替えた画像入力端子の信号入力状態とする（ステップＳ３０４）。そして、入力端子制御部５０は、信号入力状態が、「画像信号の入力有り」か否かを判断する（ステップＳ３０５）。信号入力状態が、「画像信号の入力有り」の場合（ステップＳ３０５：ＹＥＳ）、入力端子制御部５０は、切り替えた入力系統を画像入力候補としてメモリに記憶する（ステップＳ３０６）。
【００７６】
そして、入力端子制御部５０は、全ての入力系統の画像入力端子を調査したか否かを判断する（ステップＳ３０７）。全ての入力系統の画像入力端子を調査していなければ（ステップＳ３０７：ＮＯ）、ステップＳ３０３に戻り、次の入力系統の画像入力端子に切り替えて画像信号入力状態の検出を繰り返す。
【００７７】
「画像信号の入力有り」でない場合（ステップＳ３０５：ＮＯ）、ステップＳ３０７に移行し、全ての入力系統の画像入力端子を調査したか否かを判断する。
【００７８】
全ての入力系統の画像入力端子を調査していれば（ステップＳ３０７：ＹＥＳ）、入力端子制御部５０は、画像入力候補があったか否かを判断する（ステップＳ３０８）。画像入力候補があった場合（ステップＳ３０８：ＹＥＳ）、入力端子制御部５０は、制御部２０に依頼して、ＯＳＤ処理部３３に画像入力候補の一覧を表示させる（ステップＳ３０９）。そして、画像入力候補選出処理を終了する。
【００７９】
画像入力候補がなかった場合（ステップＳ３０８：ＮＯ）、画像入力候補選出処理を終了する。
また、選択している入力系統の信号入力状態の検出結果が、「音声信号の入力有り」かつ「画像信号の入力無し」の条件を満たしていない場合（ステップＳ３０２：ＮＯ）、画像入力候補選出処理を終了する。
【００８０】
上述したように、画像入力候補選出処理は、図４の音声入力候補選出処理における音声信号および音声入力端子を、画像信号および画像入力端子に置き換えた処理と略同等となる。
【００８１】
図６に戻り、画像入力候補が画面に表示されている状態で、ユーザが入力操作部２１に備わるカーソルキー（下矢印キー）を押下すると、選択カーソルは下方に移動し、画面Ｇ７に示すように「コンピュータ」を指し示す。そして、ユーザが入力操作部２１に備わる決定キーを押下すると、画像信号を入力させる入力系統が決定され、画面Ｇ８に示すように画像入力候補の一覧表示は消去される。そして、プロジェクタ１は、コンピュータ入力系統の画像信号に基づく画像を表示する。
【００８２】
ここで、画像入力候補が画面に表示されている状態で、決定キーが押下されたときにプロジェクタ１が行う処理（画像入力端子切替処理）について、フローチャートを用いて説明する。図８は、プロジェクタ１の画像入力端子切替処理のフローチャートである。
【００８３】
決定キーが押下されると、制御部２０は、選択カーソルが指し示している画像入力候補の画像入力端子に切り替えを行うように入力端子制御部５０に指示をする。入力端子制御部５０は、制御部２０からの指示に基づき、画像端子切替部３１に選択カーソルが指し示している画像入力候補の画像入力端子に切り替えるように指示をする。画像端子切替部３１は、指示された画像入力端子に切り替える（ステップＳ４０１）。
【００８４】
そして、入力端子制御部５０は、制御部２０に依頼して、ＯＳＤ処理部３３に画像入力候補の一覧を消去させる（ステップＳ４０２）。そして、画像入力端子切替処理を終了する。
【００８５】
このように、画像入力端子切替処理は、図５の音声入力端子切替処理における音声信号および音声入力端子を、画像信号および画像入力端子に置き換えた処理と略同等となる。
【００８６】
上述したような画面表示および処理が行われることで、ユーザは、音声入力端子を切り替えることなく、画像入力候補から、画像信号が入力されている入力系統を選択し、画像入力端子を切り替えることができる。そして、プロジェクタ１は、切り替えられた画像入力端子からの画像信号に基づいて画像を表示することができる。
【００８７】
上述した第２の実施形態によれば、以下の効果が得られる。
（１）プロジェクタ１は、ユーザが選択した入力系統（第１入力系統）に画像信号が入力されていない場合に、画像候補キーの操作によって、画像信号が入力されている入力系統（他の入力系統）を選出して、画像入力候補として一覧表示し、ユーザに選択させる。そして、ユーザが選択した画像入力端子に切り替えて画像を出力する。これにより、ユーザは、必要に応じて、画像入力候補を表示させ、簡易な操作で画像を選択することが可能となる。
【００８８】
（２）プロジェクタ１は、画像信号が入力されている入力系統を画像入力候補一覧として表示するため、ユーザは、入力系統の選択を容易に行うことができる。
【００８９】
（３）プロジェクタ１は、音声信号を入力する音声入力端子の入力系統（第１入力系統）とは別の入力系統を、画像信号を入力する画像入力端子の入力系統（第２入力系統）として選択することが可能となるため、利便性が向上する。
【００９０】
（４）プロジェクタ１に画像信号が複数入力されている場合に、ユーザは、複数の画像信号から所望の画像信号を選択することが可能となる。これにより、例えば、ユーザは、プロジェクタ１に複数の画像信号を入力しておき、出力されている音声に応じて、最適な画像信号に切り替えながら使用（鑑賞）することが可能となり、有益である。
【００９１】
（５）プロジェクタ１は、ユーザが選択した入力系統の画像入力端子の端子形状が、使用するケーブルの端子形状と異なっていた場合に、使用するケーブルと端子形状が一致する他の画像入力端子に接続して、画像を出力することが可能となる。よって、ユーザは特定のケーブルを用意しなくてもよいため、利便性が向上する。
【００９２】
なお、上述した実施形態に限定されず、種々の変更や改良等を加えて実施することが可能である。変形例を以下に述べる。
【００９３】
（変形例１）上記第１の実施形態では、第１入力系統に、画像信号が入力されており、音声信号が入力されていない場合に、音声入力候補を選出するものとし、上記第２の実施形態では、第１入力系統に、音声信号が入力されており、画像信号が入力されていない場合に、画像入力候補を選出するものとしたが、両方の実施形態をプロジェクタ１に適用してもよい。こうすれば、ユーザは、必要に応じて、画像入力または音声入力の選択を簡易な操作で行うことが可能になる。
【００９４】
（変形例２）上記第１の実施形態では、第１入力系統に、画像信号が入力されており、音声信号が入力されていない場合に、音声入力候補を選出するものとし、上記第２の実施形態では、第１入力系統に、音声信号が入力されており、画像信号が入力されていない場合に、画像入力候補を選出するものとしたが、いずれか一方を選択可能としてプロジェクタ１に適用するものとしてもよい。例えば、プロジェクタ１にソフトウェアとして実装する機能設定メニューに、入力候補選出に関するメニュー項目を設け、音声入力候補を選出するか画像入力候補を選出するかを、ユーザに設定させるものとしてもよい。
【００９５】
（変形例３）上記第１の実施形態では、端子選出部としての入力端子制御部５０は、画像信号の有無にかかわらず、音声信号が入力されている入力系統を他の入力系統として選出するものとしたが、画像信号が無く、かつ音声信号が入力されている入力系統を他の入力系統として選出するものとしてもよい。こうすれば、例えば、端子形状が異なるために、別の入力系統の音声入力端子に音声信号を入力している場合等に、音声信号のみが入力されている入力系統が選出されて候補として表示されるので、ユーザは、音声の選択を容易に行うことができる。
【００９６】
（変形例４）上記第２の実施形態では、端子選出部としての入力端子制御部５０は、音声信号の有無にかかわらず、画像信号が入力されている入力系統を他の入力系統として選出するものとしたが、音声信号が無く、かつ画像信号が入力されている入力系統を他の入力系統として選出するものとしてもよい。こうすれば、例えば、端子形状が異なるために、別の入力系統の画像入力端子に画像信号を入力している場合等に、画像信号のみが入力されている入力系統が選出されて候補として表示されるので、ユーザは、画像の選択を容易に行うことができる。
【００９７】
（変形例５）上記実施形態では、第１の入力選択部は入力操作部２１とし、ユーザが第１入力系統を選択するものとしたが、入力端子制御部５０が第１入力系統を選択するものとしてもよい。例えば、プロジェクタ１を電源オフしたときの入力系統を記憶しておき、次に電源オンした際に、入力端子制御部５０は、その入力系統を第１入力系統として選択するものとしてもよい。
【００９８】
（変形例６）上記実施形態では、第２の入力選択部は入力操作部２１とし、ユーザが第２入力系統を選択するものとしたが、入力端子制御部５０が第２入力系統を選択するものとしてもよい。例えば、入力端子制御部５０は、音声入力候補選出処理において最初に選出した音声入力候補を第２入力系統として選択してもよい。また、入力端子制御部５０が音声入力候補選出処理において選出した音声入力候補が１つであった場合には、ユーザに選択させることなく、その音声入力候補を第２入力系統としてもよい。こうすれば、ユーザの操作負荷が低減される。
【００９９】
（変形例７）上記第１の実施形態において、ユーザが音声候補キーを押下して、プロジェクタ１が音声入力候補を表示するまでの間は、音声の出力を停止することが望ましい。これにより、音声入力候補選出処理を行っている間に、音声入力端子が切り替わることによって音声が出力されてしまうことを避けることが可能となる。そして、プロジェクタ１の視聴者に不要な音声を聞かせてしまうことを回避できる。
【０１００】
（変形例８）上記第２の実施形態において、ユーザが画像候補キーを押下して、プロジェクタ１が画像入力候補を表示するまでの間は、入力される画像信号に基づく画像の表示を消去するか、または、画像候補キーを押下したときの画像を保持して表示することが望ましい。これにより、画像入力候補選出処理を行っている間に、画像入力端子が切り替わることによって入力される画像信号に基づく画像が表示されてしまうことを避けることが可能となる。そして、プロジェクタ１の視聴者に不要な画像を見せてしまうことを回避できる。
【０１０１】
（変形例９）上記第１の実施形態において、プロジェクタ１が音声入力候補を表示している際には、選択カーソルが指し示している音声入力候補の音声入力端子に入力されている音声信号に基づく音声を出力することが望ましい。こうすれば、ユーザは、音声を確認しながらカーソルキーによって音声入力候補を選択し、決定キーによって音声信号を入力する入力系統を決定することができるため、利便性が向上する。
【０１０２】
（変形例１０）上記第２の実施形態において、プロジェクタ１が画像入力候補を表示している際には、選択カーソルが指し示している画像入力候補の画像入力端子に入力されている画像信号に基づく画像を表示することが望ましい。こうすれば、ユーザは、画像を視認しながらカーソルキーによって画像入力候補を選択し、決定キーによって画像信号を入力する入力系統を決定することができるため、利便性が向上する。
【０１０３】
（変形例１１）上記実施形態では、光変調装置として、透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【０１０４】
（変形例１２）上記実施形態では、画像表示装置として、プロジェクタ１を例にして説明しているが、画像信号に基づいて画像を表示し、音声信号に基づいて音声を出力する画像表示装置であれば適用することが可能である。例えば、透過型のスクリーンを一体的に備えたリアプロジェクタ、あるいは、液晶ディスプレイ、プラズマディスプレイ、ＳＥＤ（Surface-Conduction Electron-Emitter Display）、有機ＥＬ（Electro Luminescence）ディスプレイ、ＣＲＴ（Cathode Ray Tube）ディスプレイ等に適用することも可能である。
【図面の簡単な説明】
【０１０５】
【図１】第１の実施形態に係るプロジェクタの概略構成を示すブロック図。
【図２】プロジェクタと外部の画像供給装置、音声供給装置についての接続状態を説明する図。
【図３】音声入力端子を切り替える際のプロジェクタの画面表示の遷移を表す図。
【図４】プロジェクタの音声入力候補選出処理のフローチャート。
【図５】プロジェクタの音声入力端子切替処理のフローチャート。
【図６】画像入力端子を切り替える際のプロジェクタの画面表示の遷移を表す図。
【図７】プロジェクタの画像入力候補選出処理のフローチャート。
【図８】プロジェクタの画像入力端子切替処理のフローチャート。
【符号の説明】
【０１０６】
１…プロジェクタ、１０…画像投写部、１１…光源、１２…液晶ライトバルブ、１３…投写レンズ、１４…ライトバルブ駆動部、２０…制御部、２１…入力操作部、３０…画像入力端子群、３０ａ，３０ｂ，３０ｃ，３０ｄ…画像入力端子、３１…画像端子切替部、３２…画像処理部、３３…ＯＳＤ処理部、４０…音声入力端子群、４０ａ，４０ｂ，４０ｃ，４０ｄ…音声入力端子、４１…音声端子切替部、４２…音声処理部、４３…音声出力部、４４…スピーカ、５０…入力端子制御部、５１…信号入力検出部。
【図１】
2009258202.tif 000003
【図２】
2009258202.tif 000004
【図３】
2009258202.tif 000005
【図４】
2009258202.tif 000006
【図５】
2009258202.tif 000007
【図６】
2009258202.tif 000008
【図７】
2009258202.tif 000009
【図８】
2009258202.tif 000010